(57)【要約】【課題】外部電極型の蛍光ランプにより原稿を照明して画像を読み取る画像読取装置おいて、効果的かつ安全にランプの冷却し、光量変化による濃度ムラを低減した高品質の読取画像を得られるようにする。【解決手段】ランプに設けられている一対の外部電極のうち、低電圧の電極に近接して放熱板をランプ表面に接触させる。また、ランプに指向して送風するファンを設け、ランプに対してファン側に放熱板の防風壁部を形成する。【選択図】        図１
2004179867.tif 000002
【特許請求の範囲】
【請求項１】
ガスを封入した円筒形状のガス封入管と、前記ガス封入管の外壁に設けられた長手方向に延びる低電圧の電極と、前記低電圧の電極と対向して前記ガス封入管の外壁に設けられた長手方向に延びる高電圧の電極と、を有する外部電極型のランプを備える画像読取装置において、
前記低電圧の電極に近接し、かつ前記高電圧の電極とは離間した位置で前記ランプに放熱手段を接触させたことを特徴とする画像読取装置。
【請求項２】
放熱手段は導電性材質であることを特徴とする請求項１記載の画像形成装置。
【請求項３】
放熱手段は金属であることを特徴とする請求項１記載の画像形成装置。
【請求項４】
ランプに指向して送風する送風手段と、ランプに接触して放熱する放熱手段と、を備える画像読取装置において、
前記ランプに対して送風手段側に、前記放熱手段の防風壁部を形成したことを特徴とする画像読取装置。
【請求項５】
ランプに指向して送風する送風手段と、ランプに接触して放熱する放熱手段と、を備える画像読取装置において、
前記ランプに対して送風手段側に、前記放熱手段の防風壁部を形成したことを特徴とする請求項１、２，３、４記載の画像読取装置。
【発明の詳細な説明】
【０００１】
【発明の属する技術分野】
本発明は、原稿を照明して画像を読み取る画像読取装置に関するものである。
【０００２】
【従来の技術】
従来の画像読取装置では、円筒形状のランプから発生する光を原稿に照射し、原稿で反射した光又は原稿を透過した光をＣＣＤイメージセンサ等によって読み取っている。この種の画像読取装置では、小型化、省電力、光量安定性に優れていた外部電極型のキセノンランプが広く用いられている。近年画像読取速度向上要求、あるいは読取画像品質向上のため、より高密度、高精細な読取に対する要求が高まってきている。これらの要求は、一般的に読取動作を行なう時に、より多くの光量を必要とし、ランプの光量を増すことで対応しているため、温度上昇によるランプ光量の変動や、蛍光体の劣化等が問題となる。
【０００３】
この問題を解決するために、従来はファンによりランプに送風することや放熱体（冷却効果が高いアルミや銅といった熱伝導性の良い金属材料が最適）をランプに接触させることにより、ランプの冷却に対応している。
【０００４】
例えば，実開平４−２０７５８号公報では、長手方向の両端部に電極が配置されているランプに放熱体を設けて、ランプの温度上昇を緩和することで、光量の変動を低減している。
【０００５】
また、特開平９−１８５９５４号公報では、第１に外部電極型のランプを電気絶縁性の被覆部材で覆い、被覆部材に蓄熱用鋼板を接触させることで、または、第２に一対の電極と接触しない位置に蓄熱用鋼板を配置することで、短絡をさせることなく蓄熱用鋼板を設けられるとしている。
【０００６】
【発明が解決しようとする課題】
しかしながら前記特開平９−１８５９５４号公報に記載されている一つの実施形態では、低電圧側の電極（低圧電極）と高電圧側の電極（高圧電極）との区別無く、電気絶縁性の被覆部材を介して双方ともに近接して導電性の蓄熱用鋼板を接触させているので、高圧電極に近接した蓄熱用鋼板には高圧電極による誘導電流が発生してしまい発光効率を著しく低下させてしまうだけでなく、さらには電気絶縁性の被覆部材が損傷した場合、高圧電極と蓄熱用鋼板が短絡し、引火を誘発するという非常に危険な構成となっていた。また、これを解決しようとすると、被覆部材の厚みを増大しなければならず、その結果、熱伝達効率を著しく低下させ、さらに装置の大型化も招いてしまう。前記特開平９−１８５９５４号公報に記載されている別の実施形態では、１対の電極双方と接触しないように、一対の電極の間の狭い範囲に蓄熱用鋼板を配置しているため、電極と蓄熱用鋼板との間に充分な距離を確保することができず、冷却効果と安全性を両立させることが困難な構成となっていた。前記特開平９−１８５９５４号公報に記載されているまた別の実施形態では、電気絶縁性のシリコンゴムを蓄熱手段としているが、シリコンゴムの熱伝導性は鋼板等の金属のそれより劣るので、十分な効果が期待できない。
【０００７】
そして、前記実開平４−２０７５８号公報の実施形態では、ランプ長手方向両端部に電極が配置されていることから、内部電極型のランプの実施形態であり、ランプの外壁に金属部材を接触させても、短絡や発光効率の問題はなかった。
【０００８】
さらに、前記ランプに接触させる部材を有する装置に関するのいずれの先願においても、ランプ冷却用の送風手段（ファン）については、言及されていない。
【０００９】
【課題を解決するための手段】
以上のような問題を解決するために本出願の第１の発明に係る発明は、ガスを封入した円筒形状のガス封入管と、前記ガス封入管の外壁に設けられた長手方向に延びる低電圧の電極と、前記低電圧の電極と対向して前記ガス封入管の外壁に設けられた長手方向に延びる高電圧の電極とを有する外部電極型のランプを備える画像読取装置において、前記低電圧の電極に近接し、かつ前記高電圧の電極とは離間した位置で前記ランプに放熱手段を接触させているので、放熱板に発生する誘導電流による光量のムラや、短絡しない安全な構成で、装置を大型化することなく、温度上昇による光量の変化を低減できると共に、蛍光体の劣化を防止できる。
【００１０】
また、第２の発明では、ランプに指向して送風する送風手段と、ランプに接触して放熱する放熱手段と、を備える画像読取装置において、前記ランプに対して送風手段側に、前記放熱手段の防風壁部を形成しているので、第１の発明よりもさらにランプの冷却効果が向上するにもかかわらず、キセノンランプに直接風が吹き付けられないので、局所的な冷却による光量ムラを低減することができる。
【００１１】
【発明の実施の形態】
（第ｌの実施形態）
図１は、本発明を適用したデジタルスキャナの概略構成を示す断面図である。１０１はスキャナ本体、２０１はこの本体に着脱自在に構成されたＡＤＦである。ＡＤＦ２０１に設けられている搬送ベルト２１１は、原稿台ガラス１１１に対して略平行に配置される搬送ベルト駆動ローラ２０９と搬送ベルト従動ローラよって駆動できるように、懸架されている。ＡＤＦ２０１は、セットされた原稿２０２を搬送ローラ２０３〜２０８、搬送ベルト２１１により、スキャナ本体１０１の原稿台ガラス１１１に搬送して回収する。この搬送ベルト２１１と原稿台ガラス１１１の間を原稿が通過する過程でスキャナ本体１０１により光学的に走査されて原稿の情報が読み取られる。
【００１２】
スキャナ本体１０１は、原稿を照射するキセノンランプ１０３、第１〜第３ミラー１０４、１０５、１０６、レンズ１０７、ＣＣＤ１０８を有し、キセノンランプ１０３および第１ミラー１０４は第１の光学台１０９に、第１，２ミラー１０５、１０６は第２の光学台１１０にそれぞれ取り付けられている。キセノンランプ１０３には第１光学台１０９に取り付けられた放熱板１１３が接触している。光学台１０９、１１０は、第１〜３ミラー１０４，１０５，１０６を介した原稿台ガラス１１１上の原稿２０２からＣＣＤ１０８までの物像間距離を一定に保つように、ワイヤ（不図示）によってステッピングモータ（不図示）と結ばれ、ステッピングモータの回転により原稿台ガラス１１１と平行に移動制御される。ポジションセンサ１１２は第１の光学台１０９のホームポジションを検知するセンサであり、この位置を基準としてステッピングモータ３０１を正転、逆転することにより光学台１０９、１１０を移動して原稿台ガラス１１１上の原稿を走査する。
【００１３】
図２は、キセノンランプ１０３と放熱板１１３の構成の詳細図である。キセノンランプ１０３には、キセノンガスを封入した円筒形状のガス封入管３０１と、互いに対向してガス封入管３０１の外周表面に接着等により固定された低電圧の電極３０２と高電圧の電極３０３と、電極３０２と電極３０３を包囲する被覆材３０４が備えられている。放熱板１１３は低電圧の電極３０２と近接し、高電圧の電極３０３とは離間した位置で、キセノンランプ１０３の外周表面（被覆材３０４）と接触している。電極３０２，３０３はガス封入管３０１の外周表面の長手方向ほぼ全域にわたってアルミ等の導電性の材質で形成されている。キセノンランプ１０３を点灯させる際には、低電圧の電極３０２をグランドに、高電圧の電極３０３に２ｋｖ程度の高電圧を印加する。放熱板１１３の材質としては、放熱効果の高い銅やアルミ等の金属材料が好ましいが、誘導電流が発生するような導電性樹脂材料でも同様の効果が得られる。
【００１４】
このような構成で、ＡＤＦ２０１から搬送されてくる原稿２０２の画像を読み取る際には、ステッピングモータ（不図示）によってあらかじめ設定された流し読み位置に第１ミラー台１０９を移動させ、固定させる。原稿２０２は搬送ローラ２０３〜２０７および搬送ベルト２１０によって搬送され、原稿台ガラス１１１と搬送ベルト２１１の間を通過する過程で光源１０３によって光を照射され、第１ミラー１０４、第２ミラー１０５、第３ミラー１０６、レンズ１０７を介してＣＣＤ１０８に光学的に走査される。もしくは、原稿台ガラス１１１上で原稿２０２を停止させた状態で、第１の光学台１１０を移動させることで、同様に原稿２０２は走査される。
【００１５】
（第２の実施形態）
図３、図４に第２の実施形態を示す。ファン１１５はキセノンランプ１０３に指向して送風している。放熱板１１４は、低電圧の電極３０２と近接した位置でキセノンランプ１０３の外壁と接触している。キセノンランプ１０３に対してファン１１５側に放熱板１１４に形成した防風壁部１１４ａは、ファン１１５からの風が直接吹き付けられるので、放熱板１１４の放熱効果が向上すると共に、ファン１１５からの風が直接キセノンランプ１０３に吹き付けられなくなる。防風壁部は放熱体と別部材で、互いに熱伝導できるように締結されている構成でもよい。従って、冷却効果が向上し、キセノンランプ１０３の局所的な冷却による光量分布の変化を低減することができるので、光量ムラによる濃度ムラの少ない読取画像を得ることが可能となる。もちろん、防風壁部１１４ａには適宜穴が開いていても、同様の効果が得られる。
【００１６】
【発明の効果】
以上説明したように、本出願の第１の発明に係る発明によれば、外部電極型キセノンランプの外周表面で低電圧電極に近接し、かつ高電圧電極と離間した位置で放熱板を接触させたので、引火の不安のまったく無い安全な構成で、濃度ムラの少ない画像を読み込むことができるようになった。
【００１７】
本出願に係る第２の発明によれば、キセノンランプに対してファン側に、放熱板の防風壁部を形成したことで、さらに濃度ムラ、変化の少ない画像を読み込むことができるようになった。
【図面の簡単な説明】
【図１】本発明の第１の実施形態に係る画像読取装置の断面図。
【図２】本発明の第１の実施形態におけるキセノンランプ及び放熱板の構成を説明する図。
【図３】本発明の第２の実施形態に係る画像読取装置の断面図。
【図４】本発明の第２の実施形態におけるキセノンランプ及び放熱板の構成を説明する図。
【符号の説明】
１１３  放熱手段
１１５  ファン
３０１  ガス封入管
３０２  低電圧の電極
３０３  高電圧の電極
【図１】
2004179867.tif 000003
【図２】
2004179867.tif 000004
【図３】
2004179867.tif 000005
【図４】
2004179867.tif 000006